(57)【要約】【課題】殺菌に用いた過酸化水素の残留を安価に防止できるチャック付き包装袋の提供を目的とする。【解決手段】開封予定線５を有する袋本体２と、袋本体の内側において開封予定線に沿って設けられたチャック３と、を備え、チャックが、互いに着脱可能に嵌まり合う一対の嵌合部２１，２２と、各嵌合部に一体に形成され、袋本体の内側の一対の対向面部１８，１９にそれぞれ固定された一対の取付基部２３，２４と、を備え、第一取付基部２３が、第二取付基部２４の幅方向の両端よりも幅方向に長く延びる一対の延長部２５，２６を有し、一対の延長部の各先端部は、第二取付基部が固定された対向面部に接着され、第一延長部２５の先端部と第二取付基部が固定された対向面部との接着部分は、易剥離部２７とされ、第二延長部２６のうち開封予定線と重なる部位に、開封予定線の長手方向に延びる溝部３０が形成されているチャック付き包装袋１。【選択図】図２
2017186079.tif 000002
【特許請求の範囲】
【請求項１】
外部に対して密閉された空間、及び、前記空間を外部に開口させるための開封予定線を有する袋本体と、
前記袋本体の内側において前記開封予定線に沿って設けられ、前記開封予定線において前記袋本体が切断された状態で袋本体の開口を開閉するチャックと、を備え、
前記チャックが、前記開封予定線の長手方向に延びて形成され、互いに着脱可能に嵌まり合う一対の嵌合部と、各嵌合部に一体に形成され、前記袋本体の内面のうち互いに対向する一対の対向面部にそれぞれ固定された一対の取付基部と、を備え、
一対の前記取付基部のうち第一取付基部が、第二取付基部の幅方向の両端よりも前記幅方向に長く延びる一対の延長部を有し、
一対の前記延長部のそれぞれの延長方向の先端部は、前記第二取付基部が固定された前記対向面部に接着され、
一対の前記延長部のうち第一延長部の先端部と前記第二取付基部が固定された前記対向面部との接着部分は、易剥離部とされ、
第二延長部の先端部と前記嵌合部との間には、前記開封予定線が位置し、
前記第二延長部のうち前記開封予定線と重なる部位に、前記開封予定線の長手方向に延びる溝部が形成されているチャック付き包装袋。
【請求項２】
前記袋本体が、前記空間を囲むシール部を有し、
前記開封予定線と交わる前記シール部の外側の縁部に、開封用のノッチが形成されている請求項１に記載のチャック付き包装袋。
【請求項３】
前記第一取付基部と前記嵌合部との接続部分から前記溝部に至る前記第一取付基部の長さが、１０ｍｍ以上２５ｍｍ以下である請求項１又は請求項２に記載のチャック付き包装袋。
【請求項４】
幅方向における前記溝部の両端が、前記開封予定線に対して前記幅方向に間隔をあけて位置している請求項１から請求項３のいずれか一項に記載のチャック付き包装袋。
【請求項５】
前記溝部の内面が、前記幅方向に互いに間隔をあけて並ぶ複数の角部を有する請求項４に記載のチャック付き包装袋。
【発明の詳細な説明】
【技術分野】
【０００１】
本発明は、チャック付き包装袋に関する。
【背景技術】
【０００２】
病院等においては、患者さんなどに栄養剤や医薬品などの流動食を投与する際、胃や腸に挿入したチューブを通して流動食を投与することがある。この場合、あらかじめ、パウチ内に収納されていた内容物に希釈液などを追加して、パウチの下方に設けられた注出口にチューブを連結させて行っている。
【０００３】
このようなパウチでは、希釈液などを追加するための充填口が設けられ、この充填口を再封するためのチャックが設けられているものがある。例えば、特許文献１に記載の「注出口付きパウチ」がある。
【０００４】
この注出口付きパウチは、上部シール部分に外部より飲料水等を注入するための開口部を有し、かつ前記開口部に左右に跨る開閉封自在なチャックが形成され、さらには、パウチを吊り下げるための吊下げ孔がシール部分に形成され、開口部の左右に少なくとも僅かなシール幅を残し、シール部分の一部を切り取った形状からなる切欠き部が形成され、開口部のチャックの上方の位置にシール部分の左右から内方に突出するシール部分が設けられている。
【０００５】
このような、栄養剤や医薬品などの内容物は、保存性や体内に投与されることから、無菌であることが求められる。そのため、一般にパウチは内容物が充填密封された後、加圧加熱殺菌されている。
【０００６】
この加圧加熱殺菌では、内容物の中心部まで充分に殺菌するために、外側部分の内容物には過度の熱処理が行われ、その結果、内容物の変質により、栄養分の損失や吸収され難くなることが考えられる。
【０００７】
このような過度の熱処理を行わずに、充分な無菌性を得る方法として、無菌充填方法がある。これは、内容物は液体殺菌機などで殺菌しておき、殺菌処理した包装材料に、無菌の雰囲気中で無菌的に内容物を充填し密封シールする方法である。
【０００８】
このような無菌充填の場合は、包装材料の殺菌処理には、過酸化水素水へ浸漬させたり、過酸化水素ガスの雰囲気中を通したりして殺菌し、その後、包装材料に残留した過酸化水素を除去している。
【先行技術文献】
【特許文献】
【０００９】
【特許文献１】特許第５００３０３７号公報
【発明の概要】
【発明が解決しようとする課題】
【００１０】
しかしながら、前述のパウチのように、チャックが設けられている場合、チャックの嵌合部に過酸化水素が残留してしまうことがある。残留した過酸化水素を完全に除去することは難しく、過酸化水素を充分に除去するためには、多くの時間が必要となり、コスト的な問題が生じる。
【００１１】
本発明は、上述した事情に鑑みたものであって、殺菌に用いた過酸化水素がチャック部分に残留することを安価に防止できるチャック付き包装袋を提供することを目的とする。
【課題を解決するための手段】
【００１２】
本発明の一態様は、外部に対して密閉された空間、及び、前記空間を外部に開口させるための開封予定線を有する袋本体と、前記袋本体の内側において前記開封予定線に沿って設けられ、前記開封予定線において前記袋本体が切断された状態で袋本体の開口を開閉するチャックと、を備え、前記チャックが、前記開封予定線の長手方向に延びて形成され、互いに着脱可能に嵌まり合う一対の嵌合部と、各嵌合部に一体に形成され、前記袋本体の内面のうち互いに対向する一対の対向面部にそれぞれ固定された一対の取付基部と、を備え、一対の前記取付基部のうち第一取付基部が、第二取付基部の幅方向の両端よりも前記幅方向に長く延びる一対の延長部を有し、一対の前記延長部のそれぞれの延長方向の先端部は、前記第二取付基部が固定された前記対向面部に接着され、一対の前記延長部のうち第一延長部の先端部と前記第二取付基部が固定された前記対向面部との接着部分は、易剥離部とされ、第二延長部の先端部と前記嵌合部との間には、前記開封予定線が位置し、前記第二延長部のうち前記開封予定線と重なる部位に、前記開封予定線の長手方向に延びる溝部が形成されているチャック付き包装袋である。
【００１３】
前記袋本体が、前記空間を囲むシール部を有し、前記開封予定線と交わる前記シール部の外側の縁部に、開封用のノッチが形成されていてもよい。
【００１４】
前記第一取付基部と前記嵌合部との接続部分から前記溝部に至る前記第一取付基部の長さが、１０ｍｍ以上２５ｍｍ以下であってもよい。
【００１５】
幅方向における前記溝部の両端は、前記開封予定線に対して前記幅方向に間隔をあけて位置してもよい。
【００１６】
前記溝部の内面が、前記幅方向に互いに間隔をあけて並ぶ複数の角部を有してもよい。
【発明の効果】
【００１７】
本発明によれば、殺菌に用いた過酸化水素がチャック部分に残留することを安価に防止することができる。
【図面の簡単な説明】
【００１８】
【図１】本発明の一実施形態に係るチャック付き包装袋を模式的に示す平面図である。
【図２】図１のＩＩ−ＩＩ矢視断面図である。
【図３】図１，２のチャック付き包装袋の製造方法の一例を示すフローチャートである。
【図４】図１，２のチャック付き包装袋の製造方法の一例において長尺フィルムに口栓及びチャックテープを取り付けた状態を模式的に示す平面図である。
【図５】図４のＶ−Ｖ矢視断面図である。
【図６】図１，２のチャック付き包装袋を開封した状態を模式的に示す平面図である。
【図７】本発明の他の実施形態に係るチャック付き包装袋を模式的に示す平面図である。
【図８】本発明の他の実施形態に係るチャック付き包装袋を模式的に示す平面図である。
【図９】本発明の他の実施形態に係るチャック付き包装袋を模式的に示す平面図である。
【図１０】本発明の他の実施形態に係るチャック付き包装袋を模式的に示す平面図である。
【図１１】本発明の他の実施形態に係るチャック付き包装袋を模式的に示す平面図である。
【発明を実施するための形態】
【００１９】
以下、図１〜６を参照して本発明の一実施形態について説明する。
【００２０】
図１に示すように、本実施形態のチャック付き包装袋１は、袋本体２と、チャック３とを備える。
袋本体２は、外部に対して密閉された内容物収納部（空間）４、及び、内容物収納部４を外部に開口させるための開封予定線５を有する。本実施形態の袋本体２は、内容物収納部４を囲むシール部６を有する。より具体的に、袋本体２は、一対のフィルム部１６，１７を重ね合わせ（図２参照）、一対のフィルム部１６，１７の周縁部同士を密着させてシール部６とすることで構成されている。
【００２１】
フィルム部１６，１７は、図１に示す平面視において概ね矩形状に形成されている。フィルム部１６，１７の上側の辺、右側の辺及び左側の辺は、単純な直線状に形成されている。フィルム部１６，１７の下側の辺は、例えば上側の辺に平行する直線状に形成されてもよいが、本実施形態では、左右の両端から中央部に向かうにしたがって下方に傾斜している。本実施形態の一対のフィルム部１６，１７は、平面視で左右対称の形状に形成されている。
【００２２】
シール部６には、フィルム部１６，１７の上側の辺を含む天シール部１１、フィルム部１６，１７の左側の辺を含む左側シール部１２、フィルム部１６，１７の右側の辺を含む右側シール部１３、及び、フィルム部１６，１７の下側の辺を含む地シール部１４を含む。
フィルム部１６，１７の辺に直交する方向におけるシール部６の寸法（幅寸法）は、例えば全て等しくてもよい。本実施形態では、シール部６の一部が他の部分よりも幅広に形成されている。具体的には、天シール部１１のうち右側部分が、天シール部１１の左側部分よりも幅広とされた幅広シール部１５となっている。
【００２３】
袋本体２の開封予定線５は、例えば天シール部１１の下方において左側シール部１２から右側シール部１３まで直線状に延びてもよいが、本実施形態では天シール部１１の左側部分の下方において左側シール部１２から幅広シール部１５まで直線状に延びている。
開封予定線５と交わるシール部６の外側の縁部には、開封用のノッチ７が形成されている。本実施形態では、開封予定線５が左側シール部１２の外側の縁部にのみ到達し、右側シール部１３や天シール部１１の外側の縁部に到達しない。このため、ノッチ７は左側シール部１２のみに形成されている。
【００２４】
幅広シール部１５には、天シール部１１の外側の縁部から下方に延びる切れ目８が形成されている。切れ目８は、例えばミシン目等のように、幅広シール部１５を貫通する複数の小孔や長孔を切れ目８が延びる方向に間隔をあけて配列して構成されている。これにより、幅広シール部１５が不意に切れ目８において切断されてしまうことを防止できる。切れ目８の下端は、開封予定線５よりも下方まで延びるが、幅広シール部１５（天シール部１１）の内側の縁部には到達しない、すなわち、幅広シール部１５の領域内に位置する。
切れ目８が形成されていることで、袋本体２を左側シール部１２の外側の縁部から開封予定線５にあわせて切り裂いても、幅広シール部１５のうち切れ目８よりも右側の部分が切り裂かれることはない。袋本体２を開封予定線５にあわせて切り裂くと、袋本体２のうち開封予定線５と切れ目８とによって囲まれた部分を、袋本体２の他の部分から切り取ることができる（図６参照）。
【００２５】
チャック３は、図１，２に示すように、袋本体２の内側において開封予定線５に沿って設けられている。チャック３は、開封予定線５において袋本体２が切断された状態で袋本体２の開口を開閉する。
チャック３は、少なくとも開封予定線５と同様に、天シール部１１の左側部分の下方において左側シール部１２から幅広シール部１５まで延びていればよいが、本実施形態では、左側シール部１２から幅広シール部１５を通って右側シール部１３まで到達している。
本実施形態においては、チャック３のうち左側シール部１２と幅広シール部１５との間の部分だけが袋本体２を開閉する機能を有する。チャック３のうち左側シール部１２や幅広シール部１５と重なる部分は、潰されており、袋本体２を開閉する機能を有さない。
【００２６】
チャック３は、互いに着脱可能に嵌まり合う一対の嵌合部２１，２２と、各嵌合部２１，２２に一体に形成された一対の取付基部２３，２４と、を備える。一対の嵌合部２１，２２及び一対の取付基部２３，２４は、いずれも開封予定線５の長手方向に延びている。
一対の嵌合部２１，２２は、開封予定線５よりも袋本体２の内容物収納部４側において開封予定線５の長手方向に延びている。一対の嵌合部２１，２２の一方は雄型嵌合部２１であり、他方の嵌合部２２は雄型嵌合部２１が嵌まる雌型嵌合部２２である。
【００２７】
各取付基部２３，２４は、各嵌合部２１，２２から一対の嵌合部２１，２２の配列方向及び各嵌合部２１，２２の長手方向の両方に直交する方向（図２において上下方向、以下幅方向と呼ぶ。）の両側に延びるシート状に形成されている。各取付基部２３，２４は、袋本体２の内面のうち互いに対向する一対の対向面部１８，１９（互いに対向する一対のフィルム部１６，１７の各対向面部１８，１９）にそれぞれ固定されている。
以下の説明では、雄型嵌合部２１に一体に形成された取付基部２３を雄側取付基部２３と呼び、雌型嵌合部２２に一体に形成された取付基部２４を雌側取付基部２４と呼ぶことがある。
【００２８】
雄側取付基部（第一取付基部）２３は、幅方向（図２における上下方向）において雌側取付基部（第二取付基部）２４の両端よりも幅方向に長く延びる一対の延長部２５，２６を有する。一対の延長部２５，２６のそれぞれの延長方向の先端部は、雌側取付基部２４が固定されたフィルム部１７（雌側フィルム部１７）の対向面部１９に接着されている。
これにより、一対の嵌合部２１，２２は、雄側取付基部２３と雌側フィルム部１７とで構成された筒状体の内部に収納されている。
【００２９】
一対の延長部２５，２６のうち一方の延長部２５（第一延長部２５）は、雄型嵌合部２１から下方（内容物収納部４側）に延びている。第一延長部２５の先端部と雌側フィルム部１７の対向面部１９との接着部分は、所定以上の外力（比較的小さい力）が作用することで剥離する易剥離部２７となっている。本実施形態において、易剥離部２７は、第一延長部２５の先端部と雌側フィルム部１７との間に挟まれたイージーピールフィルム２８によって構成されている。
【００３０】
一対の延長部２５，２６のうち他方の延長部２６（第二延長部２６）は、雄型嵌合部２１から上方（天シール部１１側）に延びている。第二延長部２６の先端部と雄型嵌合部２１との間には、開封予定線５が位置している。すなわち、第二延長部２６は開封予定線５を跨ぐように上方に延びている。
第二延長部２６のうち開封予定線５と重なる部位には、開封予定線５の長手方向に延びる溝部３０が形成されている。第二延長部２６に形成された溝部３０は、例えば雄側取付基部２３が固定されたフィルム部１６（雄側フィルム部１６）に対向する第二延長部２６の対向面に形成されてもよいが、本実施形態では雌側フィルム部１７に対向する第二延長部２６の対向面に形成されている。
【００３１】
雄側取付基部２３と雄型嵌合部２１との接続部分から溝部３０に至る雄側取付基部２３の長さＡは、例えば１０ｍｍ以上２５ｍｍ以下に設定されてもよい。このように雄側取付基部２３の長さＡが設定されている場合、溝部３０を含む雄側取付基部２３を良好に成形することができる（良好な成形性が得られる）。また、袋本体２に取り付けられたチャック３を容易に開くことができる（良好なチャック開封性が得られる）。
【００３２】
具体的には、雄側取付基部２３の長さＡが２５ｍｍ以下であることにより、溝部３０を含む雄側取付基部２３を均一な厚さで成形することができる。逆に、雄側取付基部２３の長さＡが２５ｍｍよりも大きい場合には、雄側取付基部２３の厚さにばらつきが生じる可能性がある。特に、雄側取付基部２３のうち溝部３０が形成された薄肉の部分の厚さにばらつきが生じる可能性がある。
また、雄側取付基部２３の長さＡが１０ｍｍ以上２５ｍｍ以下であることにより、チャック３を手指で容易に開くことができる。逆に、長さＡが１０ｍｍよりも小さい場合、また、２５ｍｍよりも大きい場合には、チャック３を手指で開きにくくなってしまう。
上記した雄側取付基部２３の長さＡは、例えば１５ｍｍ以上２０ｍｍ以下に設定されてもよい。この場合には、さらに良好なチャック開封性を得ることができる。
【００３３】
幅方向（図２において上下方向）における溝部３０の両端は、開封予定線５に対して幅方向に間隔をあけて位置している。すなわち、溝部３０は幅広に形成されている。
【００３４】
長手方向に直交する溝部３０の断面形状は、任意であってよい。溝部３０は、例えば溝部３０の内面が一つの角部を有する断面Ｖ字状に形成されてもよいし、例えば溝部３０の内面が角部の無い断面Ｕ字状（断面半円状）に形成されてもよい。
本実施形態において、溝部３０は、その内面が幅方向（図２において上下方向）に互いに間隔をあけて並ぶ複数の角部３１を有する断面多角形状に形成されている。図２において、溝部３０は、その内面が幅方向に間隔をあけて並ぶ二つの角部３１，３１を有する断面形状に形成されている。開封予定線５は、溝部３０の二つの角部３１，３１の間に位置している。
【００３５】
また、図１に示すように、本実施形態のチャック付き包装袋１において、袋本体２には、シール部６においてフィルム部１６，１７の厚さ方向に貫通する吊下げ孔９が形成されている。吊下げ孔９は、フック等を挿通させることで、チャック付き包装袋１を吊下げる役割を果たす。
吊下げ孔９は、幅広シール部１５に形成されている。吊下げ孔９は、開封予定線５よりも下方に位置している。本実施形態において、吊下げ孔９はチャック３よりも下方に位置している。また、吊下げ孔９は、袋本体２の左右方向の中央部に位置している。
【００３６】
また、本実施形態のチャック付き包装袋１において、袋本体２の地シール部１４には口栓１０が装着されている。口栓１０は、チューブ等に接続されることで、袋本体２の内容物収納部４に充填された流動食等の内容物（不図示）を外部に流出させる流出口となる。
本実施形態において、口栓１０は地シール部１４のうち袋本体２の左右方向の中央部に位置している。すなわち、口栓１０は、地シール部１４の下端に位置している。
【００３７】
上記のように吊下げ孔９及び口栓１０が袋本体２に設けられているため、吊下げ孔９にフック等を挿通させてチャック付き包装袋１を吊下げると、袋本体２内の内容物が口栓１０からスムーズに流れ出る。
【００３８】
次に、上記構成のチャック付き包装袋１の製造方法の一例について、主に図３〜５を参照して説明する。
【００３９】
チャック付き包装袋１を製造する際には、はじめに、図４に示すように、袋本体２の一対のフィルム部１６，１７となる長尺フィルム１０１をその長手方向（図４において上下方向）に搬送する（ステップＳ１）。
本実施形態において、一対のフィルム部１６，１７は、長尺フィルム１０１の幅方向（図４において左右方向）において天シール部１１（図１，２参照）となる部分が中央に位置するように、長尺フィルム１０１の幅方向に連続している。すなわち、長尺フィルム１０１の幅方向の両端部分は、袋本体２の地シール部１４（図１，２参照）となる部分である。また、一対のフィルム部１６，１７は、長尺フィルム１０１の長手方向に複数組連続して配列されている。すなわち、長尺フィルム１０１は、多数の袋本体２を製造するための材料である。
【００４０】
次いで、長尺フィルム１０１にチャック３を取り付ける（ステップＳ２）。ステップＳ２は、例えば長尺フィルム１０１を上記のように搬送しながら実施されてよい。
ステップＳ２において、チャック３は一対の嵌合部２１，２２同士が嵌合した状態で長尺フィルム１０１に取り付けられる。ステップＳ２において、チャック３は、その長手方向が長尺フィルム１０１の長手方向と一致するように長尺フィルム１０１に取り付けられる。また、ステップＳ２において、チャック３は、長尺フィルム１０１の幅方向において中央からずれた位置（一対のフィルム部１６，１７のいずれかの対向面部１８，１９となる位置）に取り付けられる。
【００４１】
ステップＳ２において、チャック３は、例えば長尺フィルム１０１のうち個々の袋本体２の対応する部位にのみ取り付けられてもよい、すなわち、長尺フィルム１０１の長手方向に断続的に取り付けられてもよいが、本実施形態では、長尺フィルム１０１の長手方向に連続して取り付けられる。すなわち、ステップＳ２において取り付けられるチャック３は、長尺フィルム１０１の長手方向に連続している。
【００４２】
本実施形態のステップＳ２では、図４，５に示すように、長尺フィルム１０１のうち袋本体２の雌側フィルム部１７の対向面部１９となる位置にチャック３を取り付ける。
具体的には、チャック３の雌側取付基部２４の全体が、長尺フィルム１０１のうち雌側フィルム部１７をなす部分に溶着して接着固定される。また、チャック３の雄側取付基部２３の一対の延長部２５，２６の各先端部が、長尺フィルム１０１のうち雌側フィルム部１７をなす部分に接着される。
【００４３】
ここで、第二延長部２６の先端部は長尺フィルム１０１に溶着して接着固定される。一方、第一延長部２５の先端部は、長尺フィルム１０１との間にイージーピールフィルム２８を挟んで溶着して接着される。このため、第一延長部２５の先端部と長尺フィルム１０１とは繋がっているものの、互いに剥離しやすくなっている。
上記のようにチャック３を長尺フィルム１０１に取り付けた状態では、チャック３の一対の嵌合部２１，２２が、雄側取付基部２３と長尺フィルム１０１とで囲まれた内部に収納されている。
【００４４】
ステップＳ２では、上記のようにチャック３が長尺フィルム１０１に取り付けられた状態で、長尺フィルム１０１の搬送方向の前側に位置するチャック３の長手方向の端部、あるいは、チャック３の長手方向の両端部を潰し、チャック３の端部において雄側取付基部２３全体を長尺フィルム１０１に溶着して接着固定してもよい。これにより、チャック３の一対の嵌合部２１，２２が外部に露出することを確実に防止できる。
【００４５】
また、ステップＳ２では、図４に示すように、長尺フィルム１０１に口栓１０を接着して取り付ける。口栓１０は、長尺フィルム１０１の幅方向のいずれか一方の端部（地シール部１４をなす部位）において、例えば袋本体２の左右方向の中央部に対応する位置に取り付けられればよい。
【００４６】
その後、チャック３を取り付けた長尺フィルム１０１を過酸化水素水に浸漬あるいは過酸化水素ガス処理により殺菌する（ステップＳ３）。ステップＳ３は、例えば長尺フィルム１０１を搬送しながら行ってよい。
ステップＳ３において、チャック３の一対の嵌合部２１，２２は、互いに嵌まり合っている状態で雄側取付基部２３と長尺フィルム１０１とで囲まれているため、直接過酸化水素に触れることがない。
【００４７】
一対の嵌合部２１，２２など雄側取付基部２３と長尺フィルム１０１とで囲まれたチャック３の部分は、過酸化水素により殺菌されない。このため、前述のステップＳ２においては、例えば、長尺フィルム１０１に取り付ける直前に、チャック３を紫外線、電子線、ガンマー線等によって殺菌してもよいし、チャック３に対してガス滅菌（例えばエチレンオキサイドガスを用いた滅菌）などを施してもよい。
【００４８】
ステップＳ３後の状態では、過酸化水素がチャック３を含む長尺フィルム１０１の表面に付着したり、表面近傍に浸透したりしている。そこで、無菌エアーなどの無菌ガスを長尺フィルム１０１に吹き付けて過酸化水素を除去する（ステップＳ４）。ステップＳ４では、例えば長尺フィルム１０１を無菌の水で洗浄した後に、無菌ガスを長尺フィルム１０１に吹き付けてもよい。
【００４９】
ステップＳ４後には、長尺フィルム１０１が袋本体２となるように製袋し、かつ、製袋の途中段階で内容物を充填する（ステップＳ５）。これにより、チャック付き包装袋１の製造方法が完了する。
具体的に、ステップＳ５においては、はじめに、長尺フィルム１０１をその幅方向の中央部において折り曲げて一対のフィルム部１６，１７となる部分を重ね合せ、内容物の充填口となるシール部６の部分（例えば地シール部１４の一部）を除き、一対のフィルム部１６，１７の周縁部同士をシールする。一対のフィルム部１６，１７のうち地シール部１４となる部分は、口栓１０を挟み込んでシールする。また、チャック３の雄側取付基部２３全体を、長尺フィルム１０１のうち雄側フィルム部１６となる部分に溶着して接着する（図２参照）。
【００５０】
その後、シールされていない内容物の充填口から、別途殺菌された内容物を充填し、充填口をシールし密封する。最後に、長尺フィルム１０１のうちシールされた部分を抜きや断裁により適宜切断することで、内容物の充填されたチャック付き包装袋１が得られる。
チャック付き包装袋１のノッチ７や切れ目８、吊下げ孔９は、上記の抜きや断裁時に形成すればよい。
【００５１】
上記したステップＳ１からステップＳ５までの全ての工程は、クリーンルームやクリーンブースなどの無菌雰囲気内にて行う。また、過酸化水素による殺菌や過酸化水素の除去は、無菌雰囲気内において更に囲われたゾーンを設けて、他の工程に過酸化水素が拡散しないようにして行う。以上のようにチャック付き包装袋１を製造することで、殺菌に用いた過酸化水素がチャック付き包装袋１に残留しにくい。
【００５２】
次に、本実施形態のチャック付き包装袋１の一使用例について説明する。
チャック付き包装袋１の使用に際して、例えば希釈液などを袋本体２内に充填された内容物に追加する場合には、はじめに、袋本体２をノッチ７から開封予定線５に沿って切れ目８まで切り裂く。ここで、袋本体２の開封予定線５と重なるチャック３の雄側取付基部２３の第二延長部２６の部位には、開封予定線５の長手方向に延びる溝部３０が形成されている。このため、第二延長部２６を袋本体２と共に開封予定線５において簡単に切り裂くことができる。
袋本体２を上記のように切り裂いた後は、図６のように袋本体２のうち開封予定線５と切れ目８とで囲まれた部分（図６において符号Ｃで示す部分）を切り取り、開封する。開封した状態では、チャック３の一対の嵌合部２１，２２が、袋本体２の開口側に露出する。
【００５３】
次いで、一対の嵌合部２１，２２の嵌め合い状態を解除すると共に、チャック３の雄側取付基部２３の第一延長部２５の先端部を雄側フィルム部１６から剥がして、袋本体２の開口を開く。これにより、袋本体２内の内容物収納部４が袋本体２の開口を通じて外部に連通する。
その後は、袋本体２の開口を通じて内容物収納部４に希釈液などを追加し、一対の嵌合部２１，２２を嵌め合せて袋本体２の開口を閉じればよい。これにより、袋本体２の内容物収納部４が外部に対して密閉される。密閉後は、例えば、内容物と追加された希釈液などとを良く混ぜ合わせてもよい。
【００５４】
また、チャック付き包装袋１の使用に際して、内容物収納部４内の内容物を患者さんなどの胃や腸に投与する場合には、例えば、口栓１０にチューブなどを接続し、吊下げ孔９をフック等に引っ掛けてチャック付き包装袋１を吊下げた上で、患者さんなどに内容物（例えば流動食）を投与すればよい。
【００５５】
本実施形態のチャック付き包装袋１に用いる長尺フィルム１０１には、例えば、基材層とシーラント層とが積層された積層フィルムが好ましく用いられる。基材層としては、ナイロン、ポリエチレンテレフタレート、ポリプロピレン等の樹脂の２軸延伸、あるいは、１軸延伸、未延伸のフィルムが好ましく使用できる。その場合の厚さは１２〜５０μｍ程度である。
【００５６】
基材層は、例えば多層であってもよい。多層の基材層としては、外層側から、ポリエチレンテレフタレート／ナイロン、ナイロン／ポリエチレンテレフタレート、ナイロン／無機酸化物蒸着ポリエチレンテレフタレート、ナイロン／エチレンビニル合うコール共重合体、などの積層したフィルムを用いることができる。蒸着に用いる無機酸化物としては、アルミナやシリカなどが好ましく用いられる。
【００５７】
シーラント層には、例えば熱溶融性樹脂が用いられ、低密度ポリエチレンや直鎖状低密度ポリエチレンが好ましく用いられる。また、シーラント層には、上記した樹脂と他の樹脂からなる、多層の共押し出しフィルムが用いられてもよい。
【００５８】
シーラント層の厚さは、内容物の量によって、調整されるものであるが、例えば５０μｍから１８０μｍであってよい。
【００５９】
基材層とシーラント層の貼り合せ方法、および、多層の基材層の基材同士の貼り合せ方法は、例えばドライラミネート法で行うことが好ましい。また、これらの貼り合わせ方法は、例えばサンドイッチラミネート法で行ってもよいし、シーラント層を押出機から製膜しながら押出して、基材層に貼り合わせる押出ラミネート法で行ってもよい。
【００６０】
また、基材層の裏面には、例えば絵柄印刷層を設けることも可能である。また、多層の基材層の場合は、基材層を構成する二つの層の間に絵柄印刷層を設けてもよい。絵柄印刷層を設ける印刷方式は、特に限定するものではないが、通常、グラビア印刷、あるいは、フレキソ印刷が用いられる。
【００６１】
本実施形態のチャック付き包装袋１に用いるチャック３には、上記したシーラント層に融着可能な樹脂が用いられるとよい。シーラント層として、例えば低密度ポリエチレンや直鎖状低密度ポリエチレンを用いた場合には、チャック３にポリエチレン系樹脂を用いて、押出成型により連続して製造することができる。
【００６２】
以上説明したように、本実施形態のチャック付き包装袋１によれば、チャック３の一対の嵌合部２１，２２が、チャック３の雄側取付基部２３と袋本体２の内面（雌側フィルム部１７の対向面部１９）とによって囲まれている。このため、袋本体２（又は長尺フィルム１０１）にチャック３を取り付けた状態で、過酸化水素により袋本体２の殺菌処理を行っても、過酸化水素がチャック３の嵌合部２１，２２に触れることを防止できる。これにより、過酸化水素をチャック３の嵌合部２１，２２から除去する工程が不要となる。したがって、殺菌に用いた過酸化水素の残留を安価に防止することができる。
【００６３】
また、本実施形態のチャック付き包装袋１によれば、チャック３の雄側取付基部２３の第二延長部２６のうち開封予定線５と重なる部位に溝部３０が形成されている。これにより、第二延長部２６を袋本体２と共に開封予定線５において簡単に切り裂くことができる。すなわち、袋本体２を容易に開封することができる。
【００６４】
また、本実施形態のチャック付き包装袋１によれば、開封予定線５と交わる袋本体２のシール部６の外側の縁部に、開封用のノッチ７が形成されている。これにより、ノッチ７をきっかけとして袋本体２を開封予定線５において切り裂いて、袋本体２を開封することができる。また、ノッチ７をきっかけとして袋本体２及びこれに重なる第二延長部２６を切り裂くことで、第二延長部２６に現れる切り裂き線を、第二延長部２６に形成された溝部３０の内側に簡単に誘導することができる。したがって、袋本体２及び第二延長部２６を容易かつ確実に引き裂くことができ、袋本体２を簡単に開封することができる。
【００６５】
また、本実施形態のチャック付き包装袋１によれば、幅方向における溝部３０の両端が、開封予定線５に対して幅方向に間隔をあけて位置している。これにより、袋本体２を開封する際に、仮に袋本体２及び第二延長部２６が開封予定線５に対してずれた位置で切り裂かれても、第二延長部２６に現れる切り裂き線が溝部３０から抜け出てしまうことを抑制できる。したがって、袋本体２及び第二延長部２６を容易かつ確実に切り裂くことができ、袋本体２を簡単に開封することができる。
【００６６】
また、本実施形態のチャック付き包装袋１によれば、溝部３０の内面が、幅方向に互いに間隔をあけて並ぶ複数の角部３１を有する。このため、袋本体２を開封する際に、第二延長部２６の切り裂き線が溝部３０から抜け出ることをより好適に抑制できる。具体的に説明すれば、溝部３０の内面が角部３１を有さない場合には、第二延長部２６の切り裂き線が溝部３０から抜け出しやすい。これに対し、溝部３０の内面が角部３１を有する場合には、切り裂き線が溝部３０の角部３１に近づくように誘導されるため、また、切り裂き線が溝部３０の角部３１に重なっている状態では切り裂き線が溝部３０の角部３１から離れにくくなる。これにより、第二延長部２６の切り裂き線が溝部３０から抜け出ることを好適に抑制でき、袋本体２を良好に開封することができる。
【００６７】
また、溝部３０の内面が複数の角部３１を有することで、第二延長部２６を含む雄側取付基部２３全体を長尺フィルム１０１に接着する工程（貼り付け工程）等において、溝部３０が潰れてしまうことを好適に抑制できる。例えば、溝部３０の内面が一つの角部のみを有する場合には、上記貼り付け工程等において角部の両側に位置する溝部３０の内面同士がくっついてしまう、すなわち、溝部３０が潰れてしまう可能性がある。これに対し、溝部３０の内面が複数の角部３１を有する場合には、角部３１の両側に位置する溝部３０の内面同士がくっつきにくくなる、すなわち、溝部３０が潰れてしまうことを好適に抑制できる。
【００６８】
また、本実施形態のチャック付き包装袋１において、取付基部２３（雄側取付基部２３）と嵌合部２１（雄型嵌合部２１）との接続部分から溝部３０に至る取付基部２３の長さＡが１０ｍｍ以上２５ｍｍ以下に設定されている場合には、良好な成形性及びチャック開封性が得られる。取付基部２３の長さＡが１５ｍｍ以上２０ｍｍ以下に設定されている場合には、さらに良好なチャック開封性を得ることができる。以下、この点について表１を参照して説明する。
【００６９】
【表１】
2017186079.tif 000003
【００７０】
表１は、雄型嵌合部２１から溝部３０に至る雄側取付基部２３の長さＡと、溝部３０を含む雄側取付基部２３の成形性、及び、チャック開封性との関係を示している。
表１の評価で用いたチャック付き包装袋１においては、チャック３の材料、雄側取付基部２３の厚さ寸法、並びに、溝部３０の深さ寸法及び幅寸法が下記のように設定されている。
チャック３の材料：低密度ポリエチレン
雄側取付基部２３の厚さ寸法：３０μｍ
溝部３０の深さ寸法：１０μｍ
溝部３０の幅寸法：３ｍｍ
【００７１】
＜成形性の評価＞
表１における成形性の評価は、チャック３の樹脂材料を型に通してチャック３の長手方向に押し出す押出成型によって、溝部３０が形成された雄側取付基部２３と雄型嵌合部２１とを一体に成形した後の状態を観察することで行った。
成形性の評価については、雄側取付基部２３（特に第二延長部２６）の厚さ寸法が均一であり、かつ、雄側取付基部２３（特に第二延長部２６）が雄型嵌合部２１の長手方向に向けて波打っていない場合に、「〇（合格）」とした。
一方、雄側取付基部２３（特に第二延長部２６）の厚さ寸法にムラがある場合、または、雄側取付基部２３（特に第二延長部２６）が雄型嵌合部２１の長手方向に向けて波打っている場合に、「×（不合格）」とした。
【００７２】
雄型嵌合部２１から溝部３０に至る長さＡが３０ｍｍである場合には、押出成型の際に、雄側取付基部２３のうち特に溝部３０に対応する部位において、樹脂材料を押し出す圧力にばらつきが生じやすくなるため、雄側取付基部２３の厚さ寸法にムラが生じたり、雄側取付基部２３が波打ったりしてしまう。
一方、雄型嵌合部２１から溝部３０に至る長さＡが２５ｍｍ以下である場合には、上記した樹脂材料を押し出す圧力のばらつきを抑制できるため、雄側取付基部２３の厚さ寸法を均一とすることができ、かつ、雄側取付基部２３の波打ちを防止することができる。
【００７３】
＜チャック開封性の評価＞
表１におけるチャック開封性の評価は、袋本体２を開封した後の状態で、作業者の手指によるチャック３の開き易さで評価した、すなわち、作業者による官能評価である。評価基準は、以下の通りとした
〇：チャック３を開きやすい。
△：チャック３を開きにくいことがある。
×：チャック３を開きにくい。
【００７４】
雄型嵌合部２１から溝部３０に至る長さＡが５ｍｍである場合には、一対の嵌合部２１，２２から袋本体２の開口に至る一対のフィルム部１６，１７の長さＡが短すぎる。このため、手指を一対のフィルム部１６，１７間に入れにくく、作業者はチャック３を開きにくい。
雄型嵌合部２１から溝部３０に至る長さＡが１０ｍｍである場合には、５ｍｍである場合と比較してチャック３を開きやすいものの、一対の嵌合部２１，２２から袋本体２の開口に至る一対のフィルム部１６，１７の長さＡが依然として短い。このため、チャック３を開きにくいことがある。
【００７５】
また、雄型嵌合部２１から溝部３０に至る長さＡが３０ｍｍである場合には、一対の嵌合部２１，２２から袋本体２の開口に至る一対のフィルム部１６，１７の長さＡが長すぎる。このため、一対のフィルム部１６，１７を手指で摘んで互いに離れる方向に引っ張っても、この引張力が一対の嵌合部２１，２２に作用しにくい。すなわち、チャック３を開くためには非常に大きな引張力が必要となるため、チャック３を開きにくい。
雄型嵌合部２１から溝部３０に至る長さＡが２５ｍｍである場合には、３０ｍｍである場合と比較して小さな引張力でチャック３を開くことができるものの、依然として大きな引張力が必要である。このため、チャック３を開きにくいことがある。
【００７６】
一方、雄型嵌合部２１から溝部３０に至る長さＡが１５ｍｍ以上２０ｍｍ以下である場合には、一対の嵌合部２１，２２と袋本体２の開口との間に位置する一対のフィルム部１６，１７間に手指を入れやすく、また、小さな引張力でチャック３を開くことができる。
したがって、チャック３を開きやすい。
【００７７】
以上、本発明について詳細に説明したが、本発明は上記実施形態に限定されるものではなく、本発明の趣旨を逸脱しない範囲において種々の変更を加えることが可能である。
【００７８】
例えば図７に示すように、吊下げ孔９及び口栓１０は、袋本体２の左右方向において互いに逆側の端部に位置してもよい。図７において、吊下げ孔９は、天シール部１１と右側シール部１３との角部に形成されている。また、地シール部１４（フィルム部１６，１７の下側の辺）が天シール部１１（フィルム部１６，１７の上側の辺）に平行する直線状に形成された上で、口栓１０が、左側シール部１２と地シール部１４との角部に位置している。
【００７９】
例えば図７に示すように、袋本体２には、チャック３のうち袋本体２の開口に有効な長手方向の両端部分を手指で挟み込むための一対の指掛け部４１，４２が形成されてもよい。図７において、一方の指掛け部４１は、左側シール部１２の外側の縁部から窪んで形成されている。他方の指掛け部４２は、幅広シール部１５を貫通して形成されている。他方の指掛け部４２は、図示例のように吊下げ孔９と別個に形成されてもよいが、例えば吊下げ孔９を兼用してもよい。
袋本体２が一対の指掛け部４１，４２を有する場合、開封後のチャック付き包装袋１Ａの一対の指掛け部４１，４２に手指を引っ掛けて、一対の指掛け部４１，４２を互いに近づけるだけで、一対の嵌合部２１，２２の嵌め合い状態を解除することができる。また、チャック３の雄側取付基部２３の第一延長部２５の先端部（図２等参照）を簡単に雌側フィルム部１７から剥がすこともできる。
【００８０】
図７に例示するチャック付き包装袋１Ａでは、チャック３が天シール部１１の左側部分の下方において左側シール部１２から幅広シール部１５まで延びているものの、幅広シール部１５のうち前述した他方の指掛け部４１，４２や吊下げ孔９の形成部分と重ならないように設けられ、また、右側シール部１３に到達していないが、これに限ることはない。
チャック３は、例えば上記実施形態と同様に右側シール部１３に到達してもよい。
【００８１】
図７に例示するチャック付き包装袋１Ａでは、袋本体２の開封予定線５が天シール部１１の下方において左側シール部１２の外側の縁部から右側シール部１３の外側の縁部まで直線状に延び、開封予定線５の両端と交わる左側シール部１２及び右側シール部１３の外側の縁部にそれぞれノッチ７が形成されているが、これに限ることはない。開封予定線５は、例えば上記実施形態と同様に形成されてもよい。
【００８２】
一対の延長部２５，２６は、例えば雄側取付基部２３に設けられず、雌側取付基部２４に設けられてもよい。この場合、一対の延長部２５，２６のそれぞれの延長方向の先端部は、雄側取付基部２３が固定された雄側フィルム部１６の対向面部１８に接着されればよい。また、雌型嵌合部２２から下方（内容物収納部４側）に延びる一方の延長部２５の先端部と雄側フィルム部１６の対向面部１８との接着部分が、イージーピールフィルム２８等からなる易剥離部２７となっていればよい。
【００８３】
また、図８に示すチャック付き包装袋１Ｂのように、指掛け部４２Ａと吊下げ孔９とが袋本体２の上下方向に並べて別個に形成されていてもよい。指掛け部４２Ａと吊下げ孔９はどちらが上に位置してもよいが、指掛け部４２Ａは指掛け部４１と対となり、チャック３の一対の嵌合部２１，２２の長手方向両端に位置している。この場合においても、一対の指掛け部４１，４２Ａは、チャック３のうち袋本体２の開口に有効な長手方向の両端部分を手指で挟み込み、一対の指掛け部４１，４２Ａを互いに近づけるだけで、一対の嵌合部２１，２２の嵌め合い状態を解除することができる。なお、指掛け部４１，４２Ａの手指が接触する部分が円弧形状に形成されていると、手指で挟みこむ際の痛みを低減できる。
【００８４】
また、チャック付き包装袋１Ｂでは、幅広シール部１５のうち、開封予定線５の延長線よりも上側の領域が概ね除去されている。天シール部１１の右端には指で挟みやすいよう丸みを帯びた取手部８０が形成されている。この取手部８０を持ち、天シール部１１を袋本体２の左右方向の中央部分から切り取ることができる。これにより天シール部１１をより容易に切り裂くことができ、また、幅広シール部１５が意図せず切り裂かれることを確実に防止できる。
【００８５】
チャック付き包装袋１Ｂにおいて、取手部８０を形成するために幅広シール部１５に切れ目８と同様の切り目を入れるのみで、上記の上側領域を残しておいてもよい。この場合においても、取手部８０を持ち、天シール部１１を袋本体２の左右方向の中央部分から切り取ることができる。
【００８６】
さらに図９に示すチャック付き包装袋１Ｃのように、指掛け部と吊下げ孔を兼用する指掛け兼吊り下げ孔４３が形成されていてもよい。指掛け兼吊り下げ孔４３は、袋本体２の上下方向に異なる半径の円を重ねた形状に形成されている。上側の円よりも、下側の円の半径の方が大きい。指掛け兼吊り下げ孔４３の上側が吊り下げ孔、下側が指掛け部として機能する。この場合においても、指掛け兼吊り下げ孔４３の下側の指掛け部は、指掛け部４１と対となり、チャック３の一対の嵌合部２１，２２の左右両端に位置している。
指掛け兼吊り下げ孔４３は吊下げ孔９より孔部分が広くなっており、フック等を挿通させやすい。
また、指掛け部と吊下げ孔を兼用する指掛け兼吊り下げ孔４３に、フック等を挿通してチャック付き包装袋１Ｃを吊り下げた状態では、フック等は上側の周縁部に接触し下側の円の範囲外に位置するため、下側には手指を挿通させることができる略円形の隙間が確保される。そのため、この状態においても、指掛け兼吊り下げ孔４３の下側の指掛け部に容易に手指を通すことができる。
また、指掛け部４２と吊下げ孔９を兼用することで、包装袋製造工程における穴貫通工程後の貫通ゴミを減らすことができ、異物混入及びシール不良等のリスクを低減できる。
【００８７】
なお、図９に示す指掛け兼吊り下げ孔４３は異なる半径の円を重ねた形状となっているが、指掛け兼吊り下げ孔４３の形状はこれに限定されない。例えば、図７に示す指掛け部４２の略長方形の形状と吊下げ孔９の円形状を組み合わせた指掛け兼吊り下げ孔が形成されていてもよい。
【００８８】
また、チャック付き包装袋１Ｃでは、指掛け兼吊り下げ孔４３の周囲の幅広シール部１５に、指掛け兼吊り下げ孔４３の全周囲にわたり小幅の未シール部５０が設けられている。未シール部５０は一対のフィルム部１６，１７がシールされておらず、手指が未シール部５０に触れた際、未シール部５０がシール部に比べて柔らかく折れ曲がるため、手指を指掛け兼吊り下げ孔４３に差し込み、指掛け兼吊り下げ孔４３の周囲を触れる際の手指の痛みを低減できる。
例えば、液体が入ったチャック付き包装袋１Ｃを、指掛け兼吊り下げ孔４３に手指を引っ掛けて手指のみで保持する場合、その手指には５００ｇ〜１ｋｇ程度の重さがかかり、手指の接触箇所に痛みを伴う。未シール部５０を設けることで、この痛みを低減できる。
また、指掛け兼吊り下げ孔４３と指掛け部４１を手指で挟み込み、一対の嵌合部２１，２２の嵌め合い状態を解除する際も、手指の接触箇所の痛みを低減できる。
ここで、未シール部５０は幅を２ｍｍ以上設けることで、手指の接触箇所の痛みを好適に低減できる。
【００８９】
未シール部５０は、指掛け兼吊り下げ孔４３の全周囲にわたり形成されていなくてもよい。例えば、指掛け兼吊り下げ孔４３の周囲の上側と、チャック３側である左側だけに形成されていてもよい。指掛け兼吊り下げ孔４３の周囲の上側に未シール部５０が形成されていれば、指掛け兼吊り下げ孔４３に手指を引っ掛けてチャック付き包装袋１Ｃを保持する際の手指の痛みを低減できる。また、指掛け兼吊り下げ孔４３の周囲の左側に未シール部５０が形成されていれば、指掛け兼吊り下げ孔４３と指掛け部４１を手指で挟み込む際の手指の痛みを低減できる。
【００９０】
また、未シール部５０は、指掛け兼吊り下げ孔４３を取り囲む矩形形状として幅広シール部１５に形成されていてもよい。指掛け兼吊り下げ孔４３の周囲にそって同一の幅で未シール部５０を形成する場合と比べて、製造工程を簡略化することができる。
【００９１】
さらに、図１０に示すチャック付き包装袋１Ｄのように、指掛け部４４の周囲の幅広シール部１５に、指掛け部４４の中心から径方向に放射状に広がった切れ目５１が形成されていてもよい。切れ目５１が入った幅広シール部１５は、柔らかく折れ曲がるため、手指を指掛け部４４に差し込み、指掛け部４４の周囲を触れる際の手指の痛みを低減できる。未シール部５０を形成する場合と比べて、製造工程を簡略化することができる。
【００９２】
さらに、図１１に示すチャック付き包装袋１Ｅのように、幅広シール部１５に切り込みを入れて形成された孔のない指掛け部４５を設けてもよい。指掛け部４５は一部が幅広シール部１５と繋がったままとなっており、指掛け部４５を前後に移動させて空いた隙間に手指を挿通させることができる。
包装袋製造工程における穴貫通工程後の貫通ゴミを減らすことができ、異物混入及びシール不良等のリスクを低減できる。
また、液体が入ったチャック付き包装袋１Ｅを、指掛け部４５に手指を挿通させて手指のみで保持する場合、手指は指掛け部４５と幅広シール部１５とが繋がった部分に接触する。この繋がった部分は柔らかく折れ曲がるため、接触の際の手指の痛みを低減できる。
【符号の説明】
【００９３】
１，１Ａ，１Ｂ，１Ｃ、１Ｄ，１Ｅ  チャック付き包装袋
２  袋本体
３  チャック
４  内容物収納部（空間）
５  開封予定線
６  シール部
７  ノッチ
１６，１７  フィルム部
１８，１９  対向面部
２１，２２  嵌合部
２３  雄側取付基部（第一取付基部）
２４  雌側取付基部（第二取付基部）
２５  第一延長部
２６  第二延長部
２７  易剥離部
３０  溝部
３１  角部
【図１】
2017186079.tif 000004
【図２】
2017186079.tif 000005
【図３】
2017186079.tif 000006
【図４】
2017186079.tif 000007
【図５】
2017186079.tif 000008
【図６】
2017186079.tif 000009
【図７】
2017186079.tif 000010
【図８】
2017186079.tif 000011
【図９】
2017186079.tif 000012
【図１０】
2017186079.tif 000013
【図１１】
2017186079.tif 000014